(57)【特許請求の範囲】
【請求項１】
節電中も常に通電され、当該節電中に操作があったか否かを検出する必要がある動作機構部のそれぞれに設置され、当該操作の有無を接点の切替で判別するスイッチ素子と、
前記スイッチ素子の接点が通常状態から変化したときに計時を開始し、前記変化状態から通常状態に戻ったときに計時を終了することで、前記スイッチ素子の接点変化状態を計測する変化状態計測手段と、
前記変化状態計測手段で計測する対象となるスイッチ素子が設けられた動作機構部を特定する動作機構部特定手段と、
前記動作機構部特定手段で特定された動作記憶部を情報として記憶する記憶手段と、
を有する節電中動作監視制御装置。
【請求項２】
節電中も常に通電され、当該節電中に操作があったか否かを検出する必要がある動作機構部のそれぞれに設置され、当該操作の有無を接点の切替で判別するスイッチ素子と、
前記スイッチ素子の接点が通常状態から変化したときに計時を開始し、前記変化状態から通常状態に戻ったときに計時を終了することで、前記スイッチ素子の接点変化状態を計測する変化状態計測手段と、
前記変化状態計測手段で計測する対象となるスイッチ素子が設けられた動作機構部を特定する動作機構部特定手段と、
前記動作機構部毎にしきい値を設定する設定手段と、
前記変化状態計測手段で計測した時間が、前記設定手段により設定されたしきい値を超えた時間となった場合に、節電中に、当該スイッチ素子に対応する動作機構部に操作があったことを示す情報を記憶する記憶手段と、
を有する節電中動作監視制御装置。
【請求項３】
前記節電復帰後に、前記記憶手段の記憶情報の問い合わせがあるまで、当該情報を保持する請求項１又は請求項２記載の節電中動作監視制御装置。
【請求項４】
前記スイッチ素子が、通常の電力供給中に動作機構部の動作状態を監視し、節電中に機能しない監視制御ユニットの構成部品とは別に設けられ、操作者の手動操作を含み、必要最小限の操作のみを検知する請求項１〜請求項３の何れか１項記載の節電中動作監視制御装置。
【請求項５】
前記請求項１〜請求項４の何れか１項記載の節電中動作監視制御装置を備え、
節電復帰の際に、前記節電中動作監視制御装置の記憶手段に対して、節電中に記憶された情報の有無を問い合わせて、当該情報を取得する情報送受信手段を有する画像形成装置。
【請求項６】
コンピュータを、前記請求項１〜請求項４の何れか１項記載の節電中動作監視制御装置として実行させる電力供給制御プログラム。
【発明の詳細な説明】
【技術分野】
【０００１】
本発明は、節電中動作監視制御装置、画像処理装置、節電中動作監視制御プログラムに関する。
【背景技術】
【０００２】
特許文献１には、節電中にトレイ開閉動作並びにドア開閉をコントローラが検知したら、オペレータがこの機械を使用するしないに関わらず、例えば、トレイを開けて、すぐ閉めた場合でも、ＭＣＵ（画像形成コントローラ）基板の電源を立ち上がることが記載されている。なお、この特許文献１では、検知する手段へ間欠に電力を供給している。
【先行技術文献】
【特許文献】
【０００３】
【特許文献１】特開２００７−２６８７８６公報
【発明の概要】
【発明が解決しようとする課題】
【０００４】
本発明は、節電中に起きた変化の内、節電前と節電復帰後とで設定変更が必要な変化を抽出し、かつ節電復帰後の設定変更の要否を記憶することができる節電中動作監視制御装置、画像処理装置、節電中動作監視制御プログラムを得ることが目的である。
【課題を解決するための手段】
【０００５】
請求項１に記載の発明は、節電中も常に通電され、当該節電中に操作があったか否かを検出する必要がある動作機構部のそれぞれに設置され、当該操作の有無を接点の切替で判別するスイッチ素子と、前記スイッチ素子の接点が通常状態から変化したときに計時を開始し、前記変化状態から通常状態に戻ったときに計時を終了することで、前記スイッチ素子の接点変化状態を計測する変化状態計測手段と、前記変化状態計測手段で計測する対象となるスイッチ素子が設けられた動作機構部を特定する動作機構部特定手段と、前記動作機構部特定手段で特定された動作記憶部を情報として記憶する記憶手段と、を有している。
【０００６】
請求項２に記載の発明は、節電中も常に通電され、当該節電中に操作があったか否かを検出する必要がある動作機構部のそれぞれに設置され、当該操作の有無を接点の切替で判別するスイッチ素子と、前記スイッチ素子の接点が通常状態から変化したときに計時を開始し、前記変化状態から通常状態に戻ったときに計時を終了することで、前記スイッチ素子の接点変化状態を計測する変化状態計測手段と、前記変化状態計測手段で計測する対象となるスイッチ素子が設けられた動作機構部を特定する動作機構部特定手段と、前記動作機構部毎にしきい値を設定する設定手段と、前記変化状態計測手段で計測した時間が、前記設定手段により設定されたしきい値を超えた時間となった場合に、節電中に、当該スイッチ素子に対応する動作機構部に操作があったことを示す情報を記憶する記憶手段と、を有している。
【０００７】
請求項３に記載の発明は、前記請求項１又は請求項２に記載の発明において、前記節電復帰後に、前記記憶手段の記憶情報の問い合わせがあるまで、当該情報を保持する。
【０００８】
請求項４に記載の発明は、前記請求項１乃至請求項３の何れか１項記載の発明において、前記スイッチ素子が、通常の電力供給中に動作機構部の動作状態を監視し、節電中に機能しない監視制御ユニットの構成部品とは別に設けられ、オペレータの手動操作を含み、必要最小限の操作のみを検知する。
【０００９】
請求項５に記載の発明は、前記請求項１〜請求項４の何れか１項記載の節電中動作監視制御装置を備え、節電復帰の際に、前記節電中動作監視制御装置の記憶手段に対して、節電中に記憶された情報の有無を問い合わせて、当該情報を取得する情報送受信手段を有する画像形成装置である。
【００１０】
請求項６に記載の発明は、コンピュータを、前記請求項１〜請求項４の何れか１項記載の節電中動作監視制御装置として実行させる電力供給制御プログラムである。
【発明の効果】
【００１１】
請求項１、請求項２、請求項５、請求項６に記載の発明によれば、節電中に起きた変化の内、節電前と節電復帰後とで設定変更が必要な変化を抽出し、かつ節電復帰後の設定変更の要否を記憶することができる。
【００１２】
請求項３記載の発明によれば、情報を維持することができる。
【００１３】
請求項４記載の発明によれば、他部品に関与することなく、節電中動作監視制御装置を後付けで組み付けることができる。
【図面の簡単な説明】
【００１４】
【図１】本実施の形態に係る画像処理装置の概略図である。
【図２】本実施の形態に係るメインコントローラと電源装置との概略構成図である。
【図３】本実施の形態に係る節電中の各ユニットでの監視を行うための回路図である。
【図４】本実施の形態に係る節電中監視制御部における節電中の監視を実行するための機能ブロック図である。
【図５】本実施の形態に係る節電中監視制御部における節電中の監視を実行するための制御フローチャートである。
【図６】本実施の形態に係る節電中の監視対象の変化が、当該監視対象の設定更新の必要性があるか否かを判断するためのタイミングチャートである。
【発明を実施するための形態】
【００１５】
図１には、本実施の形態に係る画像処理装置１０が示されている。画像処理装置１０は、記録用紙に画像を形成する画像形成部２４０と、原稿画像を読み取る画像読取部２３８と、ファクシミリ通信制御回路２３６を備えている。画像処理装置１０は、メインコントローラ２００を備えており、画像形成部２４０、画像読取部２３８、ファクシミリ通信制御回路２３６を制御して、画像読取部２３８で読み取った原稿画像の画像データを一次的に記憶したり、読み取った画像データを画像形成部１２又はファクシミリ通信制御回路２３６へ送出したりする。
【００１６】
メインコントローラ２００にはインターネット等のネットワーク通信回線網２０が接続され、ファクシミリ通信制御回路２３６には電話回線網２２が接続されている。メインコントローラ２００は、例えば、ネットワーク通信回線網２０を介してホストコンピュータと接続され、画像データを受信したり、ファクシミリ通信制御回路２３６を介して電話回線網２２を用いてファクシミリ受信及びファクシミリ送信を実行する役目を有している。
【００１７】
画像形成部２４０は、感光体を備え、感光体の周囲には、感光体を一様に帯電する帯電装置と、画像データに基づいて光ビームを走査する走査露光部と、前記走査露光部によって走査露光されることで形成された静電潜像を現像する画像現像部と、顕像化された感光体上の画像を記録用紙へ転写する転写部と、転写後の感光体の表面をクリーニングするクリーニング部と、が設けられている。また、記録用紙の搬送経路上には、転写後の記録用紙上の画像を定着する定着部を備えている。
【００１８】
画像読取部２３８は、原稿を位置決めする原稿台と、原稿台に置かれた原稿の画像を走査して光を照射する走査駆動系と、走査駆動系の走査により反射又は透過する光を受光して電気信号に変換するＣＣＤ等の光電変換素子と、が設けられている。
【００１９】
図２は、前記メインコントローラ２００によって制御されるデバイス、並びにメインコントローラ２００、並びに各デバイスへ電源を供給するための電源装置２０２の電源ラインを主体とした概略構成図である。
【００２０】
（メインコントローラ２００）
図２に示される如く、メインコントローラ２００は、ＣＰＵ２０４、ＲＡＭ２０６、ＲＯＭ２０８、Ｉ／Ｏ（入出力部）２１０、及びこれらを接続するデータバスやコントロールバス等のバス２１２を有している。Ｉ／Ｏ２１０には、ＵＩ制御回路２１４を介してＵＩタッチパネル２１６が接続されている。また、Ｉ／Ｏ２１０には、ハードディスク（ＨＤＤ）２１８が接続されている。ＲＯＭ２０８やハードディスク２１８等に記録されているプログラムに基づいて、ＣＰＵ２０４が動作することによって、メインコントローラ２００の機能を実現する。なお、該プログラムを格納した記録媒体（ＣＤ−ＲＯＭ、ＤＶＤ−ＲＯＭ等）から該プログラムをインストールし、これに基づいてＣＰＵ２０４が動作することにより画像処理機能を実現してもよい。
【００２１】
Ｉ／Ｏ２１０には、タイマ回路２２０、通信回線Ｉ／Ｆ２２２が接続されている。さらに、Ｉ／Ｏ２１０には、画像読取制御部２２４、画像形成制御部２２６、画像複写制御部２２８、ファクシミリ受信制御部２３０、ファクシミリ送信制御部２３２が接続され、機能別に独立して制御するようになっている。
【００２２】
画像読取制御部２２４、画像形成制御部２２６、画像複写制御部２２８、ファクシミリ受信制御部２３０、ファクシミリ送信制御部２３２は、デバイス選択Ｉ／Ｆ２３４に接続されている。
【００２３】
デバイス選択Ｉ／Ｆ２３４は、ファクシミリ通信制御回路（モデム）２３６、画像読取部２３８、画像形成部２４０の各デバイスに接続され、前記画像読取制御部２２４、画像形成制御部２２６、画像複写制御部２２８、ファクシミリ受信制御部２３０、ファクシミリ送信制御部２３２における制御動作の実行に基づき、選択されるようになっている。
【００２４】
なお、前記タイマ回路２２０は、前記ファクシミリ通信制御回路２３６、画像読取部２３８、画像形成部２４０を節電状態（電源非供給状態）とするための契機として、初期設定時間の計時を行うものである。
【００２５】
メインコントローラ２００及び各デバイス（ファクシミリ通信制御回路２３６、画像読取部２３８、画像形成部２４０）は、電源装置２０２から電源が供給される（図２の鎖線参照）。なお、図２では、電源線を１本の点線で示しているが、実際には２本〜３本の配線である。
【００２６】
（電源装置２０２）
図２に示される如く、商用電源２４２から引き込まれた入力電源線２４４は、メインスイッチ２４６に接続されている。メインスイッチ２４６がオンされることで、第１の電源部２４８及び第２の電源部２５０へ電力供給が可能となる。
【００２７】
第１の電源部２４８は、制御用電源生成部２４８Ａを備え、メインコントローラ２００の電源供給制御回路２５２に接続されている。電源供給制御回路２５２は、メインコントローラ２００に電源供給すると共に、Ｉ／Ｏ２１０に接続され、メインコントローラ２００の制御プログラムに従って、前記各デバイス（ファクシミリ通信制御回路２３６、画像読取部２３８、画像形成部２４０）への電源供給線を導通/非導通させるためのスイッチング制御を行う。
【００２８】
一方、第２の電源部２５０へ接続される電源線２５４には、第１のサブ電源スイッチ２５６（以下、「ＳＷ−１」という場合がある。）が介在されている。このＳＷ−１は、前記電源供給制御回路２５２で、オン・オフが制御されるようになっている。
【００２９】
また、第２の電源部２５０は、高電圧電源生成部２５０Ｈと低電圧電源生成部（ＬＶＰＳ）２５０Ｌを備えている。高電圧電源生成部２５０Ｈは主として画像形成部２４０の定着部のヒータ等で使用される電源である。
【００３０】
第２の電源部２５０の高電圧電源生成部２５０Ｈ及び低電圧電源生成部（ＬＶＰＳ）２５０Ｌは、選択的に、画像読取機能電源供給部２５８、画像形成機能電源供給部２６０、画像複写機能電源供給部２６２、ファクシミリ受信機能電源供給部２６４、ファクシミリ送信機能電源供給部２６６に接続されている。
【００３１】
画像読取機能電源供給部２５８は、低電圧電源生成部（ＬＶＰＳ）２５０Ｌを入力源として、第２のサブ電源スイッチ２６８（以下、「ＳＷ−２」という場合がある。）を介して、画像読取部２３８に接続されている。
【００３２】
画像形成機能電源供給部２６０は、高電圧電源生成部２５０Ｈと低電圧電源生成部（ＬＶＰＳ）２５０Ｌを入力源として、第３のサブ電源スイッチ２７０（以下、「ＳＷ−３」という場合がある。）を介して、画像形成部２４０に接続されている。
【００３３】
画像複写機能電源供給部２６２は、高電圧電源生成部２５０Ｈと低電圧電源生成部（ＬＶＰＳ）２５０Ｌを入力源として、第４のサブ電源スイッチ２７２（以下、「ＳＷ−４」という場合がある。）を介して、画像読取部２３８及び画像形成部２４０に接続されている。
【００３４】
ファクシミリ受信機能電源供給部２６４は、高電圧電源生成部２５０Ｈと低電圧電源生成部（ＬＶＰＳ）２５０Ｌを入力源として、第５のサブ電源スイッチ２７４（以下、「ＳＷ−５」という場合がある。）を介して、ファクシミリ通信制御回路２３６及び画像形成部２４０に接続されている。
【００３５】
ファクシミリ送信機能電源供給部２６６は、低電圧電源生成部（ＬＶＰＳ）２５０Ｌを入力源として、第６のサブ電源スイッチ２７６（以下、「ＳＷ−６」という場合がある。）を介して、ファクシミリ通信制御回路２３６及び画像読取部２３８に接続されている（通信レポート等の出力を除く）。
【００３６】
前記第２のサブ電源スイッチ２６８、第３のサブ電源スイッチ２７０、第４のサブ電源スイッチ２７２、第５のサブ電源スイッチ２７４、第６のサブ電源スイッチ２７６は、それぞれ前記第１のサブ電源スイッチ２５６と同様に、メインコントローラ２００の電源供給制御回路２５２からの電源供給選択信号に基づいて、オン・オフ制御される。
【００３７】
上記構成では、機能別に各デバイス（ファクシミリ通信制御回路２３６、画像読取部２３８、画像形成部２４０）を選択した電源を供給し、指示された機能に不要なデバイスへの電源を供給しないため、必要最小限の電力で済む。
【００３８】
（節電中の監視）
ここで、本実施の形態のメインコントローラ２００は、必要最小限の電力消費となるように、部分的にその機能を停止させる場合がある。その中で、常に電力を供給を受ける素子として、節電中監視制御部２４がＩ／Ｏ２１０に接続されている。この節電中監視制御部２４は、例えば、ＡＳＩＣと称される、自身で動作プログラムが格納され、当該動作プログラムで処理されるＣＰＵ，ＲＡＭ，ＲＯＭ等を備えたＩＣチップ等で構成することができる。
【００３９】
この節電中監視制御部２４は、装置が節電中に、トレイの引き出しが開閉されたり、筐体の扉が開閉されたり、フィニッシャーが着脱されたりしたときに、その変化状態を監視するものである。
【００４０】
図３に示される如く、装置全体が通電中の場合、トレイの引き出しの開閉状態は、トレイ監視ユニット２６が作動しており、メインコントローラ２００のＩ／Ｏ２１０に接続されている。このトレイ監視ユニット２６では、各トレイの用紙の有無、用紙のサイズ等を検出する。
【００４１】
また、装置全体が通電中の場合、筐体の扉の状態は、所謂インターロッキング機能を有する扉開閉状態監視ユニット２８が作動しており、メインコントローラ２００のＩ／Ｏ２１０に接続されている。この扉が開いたときは、画像形成部２４０等への電力供給を遮断し、安全性を確保している。
【００４２】
さらに、装置全体が通電中の場合、フィニッシャーの着脱状態は、フィニッシャー状態監視ユニット３０が作動しており、メインコントローラ２００のＩ／Ｏ２１０に接続されている。用紙の搬送に関与するため、フィニッシャーが脱落したときは、画像形成部２４０等への電力供給を遮断している。
【００４３】
ところで、上記トレイ監視ユニット２６、扉開閉状態監視ユニット２８、フィニッシャー状態監視ユニット３０は、装置全体が通電中のときに動作するものであり、言い換えれば、節電中は動作しない（監視しない）。このため、節電中に、トレイが開閉され、用紙のサイズが変更されたりしても、メインコントローラ２００では、この変化を認識できないことになる。このため、節電復帰後、初期ルーチンとして、装置内の全ての変化状態を確認する必要があった。
【００４４】
これに対して、本実施の形態では、上記トレイ監視ユニット２６、扉開閉状態監視ユニット２８、フィニッシャー状態監視ユニット３０とは別に、節電中監視制御部２４を設け、何らかの操作があったか否か等、必要最小限の情報を取得するようにした。
【００４５】
すなわち、図３に示される如く、前記トレイ監視ユニット２６が設けられたトレイユニットには、トレイ毎にトレイが開閉されたか否かを判別するスイッチ素子２６Ａが設けられている。スイッチ素子２６Ａの一端は節電中監視制御部２４の信号源判別部３２（後述）に接続され、他端は接地されている。
【００４６】
また、図３に示される如く、前記扉開閉状態監視ユニット２８が設けられた扉ユニットには、筐体に設けられた複数の扉が開閉されたか否かを判別するスイッチ素子２８Ａが設けられている。スイッチ素子２８Ａの一端は節電中監視制御部２４の信号源判別部３２（後述）に接続され、他端は接地されている。
【００４７】
さらに、図３に示される如く、前記フィニッシャー状態監視ユニット３０が設けられたフィニッシャーユニットには、フィニッシャーが着脱されたか否かを判別するスイッチ素子３０Ａが設けられている。スイッチ素子３０Ａの一端は節電中監視制御部２４の信号源判別部３２（後述）に接続され、他端は接地されている。
【００４８】
各スイッチ素子２６Ａ、２８Ａ、３０Ａの一端は、分岐されて、それぞれプルアップ抵抗３４、３６、３８を介して、節電中監視制御部２４の節電中監視用電源供給部４０（後述）に接続されている。このため、各スイッチ素子２６Ａ、２８Ａ、３０Ａの一端には、常に所定の電圧が印加されており、スイッチ素子２６Ａ、２８Ａ、３０Ａがオフ状態の場合は、電流が節電中監視制御部２４の信号源判別部３２に流れ、スイッチ素子２６Ａ、２８Ａ、３０Ａがオン状態の場合は、電流がスイッチ素子２６Ａ、２８Ａ、３０Ａを流れる。
【００４９】
言い換えれば、節電中監視制御部２４の信号源判別部３２には、スイッチ素子２６Ａ、２８Ａ、３０Ａのオン・オフ状態で二値化された信号が入力されることになる。
【００５０】
図４は、節電中監視制御部２４における、監視制御のための機能ブロック図が示されている。
【００５１】
節電中監視制御部２４には、節電中監視用電源供給部４０と信号源判別部３２とが設けられている。
【００５２】
節電中監視用電源供給部４０には、電源線４２が接続され、前述したように、プルアップ抵抗３４、３６、３８（図３参照）を介して、それぞれのスイッチ素子２６Ａ、２８Ａ、３０Ａの一端へ所定の電圧を印加する。なお、プルアップ抵抗３４、３６、３８の抵抗値は、接続されてるスイッチ素子２６Ａ、２８Ａ、３０Ａの数により設定される。
【００５３】
なお、本実施の形態では、各ユニット（トレイユニット、扉ユニット、フィニッシャーユニット）毎にスイッチ素子２６Ａ、２８Ａ、３０Ａを並列接続したが、各スイッチ素子２６Ａ、２８Ａ、３０Ａを独立させてもよく、この場合は、より詳細な情報が得られることになる。
【００５４】
各スイッチ素子２６Ａ、２８Ａ、３０Ａのオン・オフ状態は、前述したように、信号源判別部３２へ二値化された信号として入力されるようになっている。
【００５５】
信号源判別部３２では、信号の変化を監視すると共に、入力される信号に基づいて、何れのユニットからの信号かを判別する。
【００５６】
信号源判別部３２では、信号の変化を検知すると、タイマカウンタ部４４へスタート信号、ストップ信号を送出する。すなわち、スイッチ素子２６Ａ、２８Ａ、３０Ａの通常状態から変化したとき（例えば、通常状態がオンで、オフになっとき）、スタート信号が出力され、再び通常状態に戻ったとき（例えば、スイッチ素子２６Ａ、２８Ａ、３０Ａがオンに戻ったとき）、ストップ信号が出力される。
【００５７】
タイマカウント部４４には、クロック信号発生部４６が接続されており、前記スタート信号からストップ信号までの時間を計測する。
【００５８】
このタイマカウント部４４で計測した時間情報は、信号源抽出部４８に送出されるようになっている。この信号源抽出部４８は、前記信号源判別部３２に接続されており、判別されたユニット情報を取得する。
【００５９】
信号源抽出部３２は、しきい値読出部５０及び比較判定部５２のそれぞれに接続されている。信号源抽出部４８からしきい値読出部５０には、抽出信号源識別情報（すなわち、スイッチ素子２６Ａ、２８Ａ、３０Ａが変化したユニット）が送出され、信号源抽出部４８から比較判定部５２には、抽出信号源タイマ計測情報（すなわち、タイマカウント部４４での計時情報）が送出される。
【００６０】
しきい値読出部５０は、信号源別しきい値メモリ５４から、前記抽出したユニット毎に記憶されている計測した時間と比較するためのしきい値を読み出し、比較判定部５２へ出力する。
【００６１】
比較判定部５２では、計測した時間としきい値とを比較し、計測した時間がしきい値を超えているか否かを判定すると共に、計測した時間がしきい値を超えた場合には、抽出したユニットを特定する情報（ユニット特定情報）を節電中操作検知情報記憶部５６へ送出する。これにより、ユニット特定情報は記憶される。
【００６２】
この節電中操作検知情報記憶部５６は、節電中操作検知情報読出部５６に接続されている。節電中操作検知情報読出部５８では、節電復帰情報受信部６０を介して、Ｉ／Ｏ２１０（図３参照）から問い合わせがあると、節電中操作検知情報記憶部５６からユニット特定情報を読み出し、情報出力部６２を介して、Ｉ／Ｏ２１０（図３参照）へ当該ユニット特定情報を読み出す。
【００６３】
図２、図３に示す、メインコトローラ２００では、このユニット特定情報に基づいて、節電中に変化があり、かつ何らかの操作がなされたユニットを特定し、情報の更新等が実行される。
【００６４】
以下に、図５のフローチャート及び図６のタイミングチャートに従い、節電中監視制御の流れを説明する。このルーチンは、節電モードに入ったときに起動するルーチンである。
【００６５】
ステップ１００では、節電復帰となったか否かが判断され、否定判定されると、ステップ１０２へ移行する。
【００６６】
ステップ１０２では、信号源に変化があったか否かが判断され、否定判定された場合は、ステップ１００へ戻る。また、ステップ１０２で肯定判定されると、ステップ１０４へ移行してタイマをリセット・スタートし、ステップ１０６へ移行する。
【００６７】
ステップ１０６では、スイッチ素子２６Ａ、２８Ａ、３０Ａが元の状態に戻ったか否かが判断され、肯定判定されると、ステップ１０８へ移行してタイマをストップさせ、ステップ１１０へ移行する。
【００６８】
ステップ１１０では、信号源を識別する。すなわち、監視対象のユニットを特定し、対でステップ１１２へ移行して監視対象毎に設定されているしきい値を読み出す。
【００６９】
次のステップ１１４では、信号源の変化時間の比較判定処理が実行される。
【００７０】
例えば、図６のタイミングチャートの監視対象がトレイの開閉があった場合、スイッチ素子２６Ａの状態が変化するが、その開放時間が短い（しきい値よりも短い）場合は、ユーザーが用紙が入っているか否かを確認するだけと判断され、節電前と状態は変化無しと認識する。一方、スイッチ素子２６Ａの状態が変化して、その開放時間が長い（しきい値よりも長い）場合は、用紙を追加されたり、異なるサイズ用紙に入れ替えられたりしている可能性が高いと判断され、節電前と状態は変化ありと認識する。
【００７１】
なお、他のユニットでも同様であるが、節電前に比べて状態が変化したと認識する時間が異なるため、それぞれにしきい値を設けている。
【００７２】
次のステップ１１６では、節電中操作を認定したか否かが判断され、肯定判定されると、ステップ１１８へ移行して節電中操作認定を情報として記憶し、ステップ１１８へ戻る。すなわち、何れかのユニットにおいて、節電前とは異なる状態になっている可能性があることを情報として記憶する。また、ステップ１１８で否定判定された場合は、ステップ１００へ戻る。
【００７３】
一方、ステップ１００で肯定判定されると、節電復帰時期と判断し、ステップ１２０へ移行する。ステップ１２０では、メインコントローラ２００から問い合わせがあったか否かが判断され、肯定判定されると、ステップ１２２へ移行して、前記記憶した節電中操作情報を出力し、このルーチンは終了する。
【００７４】
なお、ステップ１２２では、記憶した節電中情報としたが、情報が記憶されていない場合、「情報無し」を情報として出力するようにしてもよい。
【００７５】
この情報を受け取ったメインコントローラ２００では、節電中に変化があったユニットだけ情報更新のためのプログラムを起動すればよい。これは、全てのユニットの状態を監視するのに比べて、節電からの復帰を早める結果となる。或いは、何らかの動作の要求に対して動作した後に異常（用紙違い等）が発生することが回避される。
【００７６】
なお、本実施の形態では、例えば、トレイユニットに設けたスイッチ素子２６Ａ、２８Ａ、３０Ａを全て並列接続するといった、図３に示す、トレイユニット、扉ユニット、フィニッシャーユニット単位で、監視を行うようにしたが、スイッチ素子２６Ａ、２８Ａ、３０Ａを全て独立させ、例えば、トレイ毎に開閉を監視、或いは扉毎に開閉を監視するようにしてもよい。
【００７７】
また、スイッチ素子２６Ａ、２８Ａ、３０Ａは、通常状態をオン、変化があったときをオフとしたが、その逆でもよい。
【００７８】
節電中監視制御部２４を商用電源から常時電力を供給するようにしたが、乾電池、充電池、ソーラー電池等、商用電源以外の電源から電力の供給を受けるようにしてもよい。
【００７９】
また、タイマによって、しきい値を超えた変化があったときに、情報として記憶するようにしたが、何らかの変化があった場合、その時間と共に情報として記憶し、節電前と比べて、更新が必要がどうかは、節電復帰後に、メインコントローラ２００が行ってもよい。
【符号の説明】
【００８０】
２０    ネットワーク通信回線網
２２    電話回線網
２４    節電中監視制御部
２６Ａ、２８Ａ、３０Ａ    スイッチ素子
３２    信号源判別部
３４、３６、３８    プルアップ抵抗
４０    節電中監視用電源供給部
４４    タイマカウンタ部
４６    クロック信号発生部
４８    信号源抽出部
５０    しきい値読出部
５２    比較判定部
５４    信号源別しきい値メモリ
５６    節電中操作検知情報記憶部
５８    節電中操作検知情報読出部
６０    節電復帰情報受信部
６２    情報出力部
２００    メインコントローラ
２０４    ＣＰＵ
２０６    ＲＡＭ
２０８    ＲＯＭ
２１０    Ｉ／Ｏ（入出力部）
２１２    バス
２１４    ＵＩ制御回路
２１６    ＵＩタッチパネル
２１８    ハードディスク
２２０    タイマ回路
２２２    通信回線Ｉ／Ｆ
２２４    画像読取制御部
２２６    画像形成制御部
２２８    画像複写制御部
２３０    ファクシミリ受信制御部
２３２    ファクシミリ送信制御部
２３４    デバイス選択Ｉ／Ｆ
２３６    ファクシミリ通信制御回路
２３８    画像読取部
２４０    画像形成部
２４２    商用電源
２４４    入力電源線
２４６    メインスイッチ
２４８    第１の電源部
２５０    第２の電源部
２４８Ａ    制御用電源生成部
２５２    電源供給制御回路
２５４    電源線
２５６    第１のサブ電源スイッチ（「ＳＷ−１」）
２５０Ｈ    高電圧電源生成部
２５０Ｌ    低電圧電源生成部
２５８    画像読取機能電源供給部
２６０    画像形成機能電源供給部
２６２    画像複写機能電源供給部
２６４    ファクシミリ受信機能電源供給部
２６６    ファクシミリ送信機能電源供給部
２６８    第２のサブ電源スイッチ（「ＳＷ−２」）
２７０    第３のサブ電源スイッチ（「ＳＷ−３」）
２７２    第４のサブ電源スイッチ（「ＳＷ−４」）
２７４    第５のサブ電源スイッチ（「ＳＷ−５」）
２７６    第６のサブ電源スイッチ（「ＳＷ−６」）
【図１】
0005447028.tif 000002
【図２】
0005447028.tif 000003
【図３】
0005447028.tif 000004
【図４】
0005447028.tif 000005
【図５】
0005447028.tif 000006
【図６】
0005447028.tif 000007